(57)【要約】【課題】タブ端子付電池において、落下などによってタブ端子を押さえる方向の外力が加わったとしても電池ケースの封口端面と接触することのない構造を提供することを目的とする。【解決手段】前記課題を解決するために、タブ端子７を封口板６に接続する接続部７ａとリード線を取付ける取付け部７ｂ及びこれらを連結する連結部７ｃとで構成し、この連結部７ｃをリード線８の引出方向と反対側の接続部７ａの端面に設けることによりコンパクトな形状とし、取付け部７ｂを電池ケース４の封口端面４ａの内側に位置させることにより接触しない位置関係とした。【選択図】図２
2010123363.tif 000002
【特許請求の範囲】
【請求項１】
正極と負極をセパレータを介して対向配置して構成した発電要素を電解液とともに電池ケースに収納し、前記発電要素の一方の電極を電池ケースに、他方の電極を電池ケースの開口部にガスケットを介して封着される封口板に接続し、この封口板の中央部の上方に突出した部分にタブ端子を接続したタブ端子付電池において、前記タブ端子を封口板の上方に突出した部分に接続する接続部とリード線を取付ける取付け部及びこれらを連結する連結部とで構成し、この連結部をリード線の引出方向と反対側の接続部の端面に設けるとともに、取付け部を電池ケースの封口端面の内側の封口板に対向するように構成したタブ端子付電池。
【請求項２】
タブ端子のリード線の取付け部における取付けをカシメとしたことを特徴とする請求項１記載のタブ端子付電池。
【請求項３】
タブ端子のリード線の取付け部における取付けを半田付けとしたことを特徴とする請求項１記載のタブ端子付電池。
【発明の詳細な説明】
【技術分野】
【０００１】
本発明は、電池とリード線を接続するタブ端子を有するタブ端子付電池に関するものである。
【背景技術】
【０００２】
各種のエレクトロニクス機器に組み込まれるＩＣメモリーや時計回路などの停電時のバックアップ用電源として、円筒型やコイン型の電池をプリント基板などにタブ端子を用いて直接実装したものや、あるいはコネクタリード線を用いて基板に間接的に接続したものがある。
【０００３】
タブ端子を用いて直接実装する場合には、電流取出し用のタブ端子を電池の外部端子面にレーザー溶接や抵抗溶接などにより溶接して取付けられることが多い。また、タブ端子の他端部はプリント基板のランドに半田付けなどにより接続されることが多い。
【０００４】
また、リード線を用いて基板に間接的に接続する場合には、リード線の一方の端にタブ端子を取付けて、もう一方の端にメス側コネクタを取付けた組立リード線を構成し、この組立リード線のタブ端子を電池の外部端子面にレーザー溶接や抵抗溶接などにより溶接して、メス側コネクタをプリント基板に半田付けされたオス側コネクタに嵌合して取付けられることが多い。
【０００５】
図４（ａ），（ｂ）に従来のタブ端子付電池の一例を示す。電池の外装缶２０の端面から突出して設けた同外装缶２０よりも小径の外部端子２１にタブ端子１２をそれぞれＡ〜Ｄの溶接点において接続していた。タブ端子１２には、延出部１１及び１３が一体に設けてあり、延出部１１にはＣ面カット部１０が、また延出部１３にはプリント基板のスルーホールに挿入して半田付けされる突出部１４が設けられていた。また、タブ端子１２は電池の外部端子２１の外径より広い幅であって、タブ端子１２のバリ１５が電池の外部端子２１の外周端縁の外側にて外装缶２０の端面に向くように溶接していた（特許文献１参照）。
【特許文献１】特開２０００−１４９９１２号公報
【発明の開示】
【発明が解決しようとする課題】
【０００６】
しかしながら特許文献１に示されるようなタブ端子付電池において、外部端子２１に接続されたタブ端子１２が落下などによる外力によって変形した場合に、タブ端子延出部１３の両端面のバリ１５が外装缶２０の上端面と接触し、異なる極性である外部端子２１と外装缶２０の間で短絡を生じるという欠点があった。特に、タブ端子１２のバリ１５が外装缶２０の端面に向いているため、外装缶２０に外装絶縁チューブ２２を被せていたとしてもバリ１５が貫通し短絡を生じ易いという欠点があった。タブ端子にリード線を取付けた構成においては、リード線の引き回しによってタブ端子にたわみ変形を生じ易く、タブ端子１２と外装缶２０の上端面が接触する頻度が更に高くなっていた。
【０００７】
本発明は、特にリード線を取付けたタブ端子と外装缶の上端面が接触することによる短絡を防止することを目的とする。
【課題を解決するための手段】
【０００８】
前記課題を解決するために本発明は、正極と負極をセパレータを介して対向配置した発電要素を電解液とともに電池ケースに収納し、前記発電要素の一方の電極を電池ケースに
、他方の電極を電池ケースの開口部にガスケットを介して封着される封口板に接続し、この封口板の中央部の上方に突出した部分にタブ端子を接続したタブ端子付電池において、前記タブ端子を封口板の上方に突出した部分に接続する接続部とリード線を取付ける取付け部及びこれらを連結する連結部とで構成し、この連結部をリード線の引出方向と反対側の接続部の端面に設けるとともに、取付け部を電池ケースの封口端面の内側の封口板に対向するように構成したものである。
【０００９】
この構成とすることにより、封口板に接続されたタブ端子のバリが極性の異なる電池ケースに対向する位置に存在しなくなり、タブ端子が外力によって変形した場合においても物理的に接触しない位置関係となる。
【発明の効果】
【００１０】
本発明によると、タブ端子にリード線が取付けられ、このリード線の引き回しによってタブ端子がたわみ変形を生じた場合においても、タブ端子のバリが電池ケースと接触することがなく、従って異なる極性であるタブ端子と電池ケースの短絡を生じることがなく、信頼性の高いタブ端子付電池を提供することができる。
【発明を実施するための最良の形態】
【００１１】
本発明における第１の発明は、正極と負極をセパレータを介して対向配置して構成した発電要素を電解液とともに電池ケースに収納し、前記発電要素の一方の電極を電池ケースに、他方の電極を電池ケースの開口部にガスケットを介して封着される封口板に接続し、この封口板の中央部の上方に突出した部分にタブ端子を接続したタブ端子付電池において、前記タブ端子を封口板の上方に突出した部分に接続する接続部とリード線を取付ける取付け部及びこれらを連結する連結部とで構成し、この連結部をリード線の引出方向と反対側の接続部の端面に設けるとともに、取付け部を電池ケースの封口端面の内側の封口板に対向するように構成したことを特徴とする。この構成により、リード線の取付け部が電池ケースの封口端面の内側に収まるコンパクトな形となり、タブ端子と電池ケースの封口端面が対向する位置関係を回避できる。
【００１２】
本発明における第２の発明は第１の発明において、タブ端子のリード線の取付け部における取付けをカシメとしたことを特徴とする。カシメのカール型と受け型の金型寿命末期になると、金型の磨耗による隙間にタブ端子が入り込みバリとなっていた。このようなバリを生じる事態となってもタブ端子と電池ケースの封口端面が対向する位置関係を回避しているので短絡の危険性が無い。
【００１３】
本発明における第３の発明は第１の発明において、タブ端子のリード線の取付け部における取付けを半田付けとしたことを特徴とする。半田付け作業のバラツキによって半田バリが生じることがあったが、このような半田バリを生じる事態となってもタブ端子と電池ケースの封口端面が対向する位置関係を回避しているので短絡の危険性が無い。
【実施例１】
【００１４】
以下、本発明の実施の形態を、図面を参照しながら説明する。
【００１５】
（実施例１）
図１は本発明の一実施例に係るタブ端子付電池の断面図である。二酸化マンガンと導電材を配合した正極１とリチウムよりなる負極２を、ポリプロピレン製のセパレータ３を介して対向配置した発電要素を有機電解液とともにステンレス製の電池ケース４に収納し、前記発電要素の一方の電極を電池ケース４に他方の電極を電池ケース４の開口部にポリプロピレン製のガスケット５を介して封着されるステンレス製の封口板６に接続し、この封口板６の中央部の上方に突出した部分６ａにニッケル製のタブ端子７を接続している。ま
た、電池ケース４の側周は、ポリエチレンテレフタレート製の熱収縮性外装絶縁チューブ９によって被覆されている。
【００１６】
図２は、図１に示す本発明の一実施例に係るタブ端子付電池の平面図である。タブ端子７を封口板６の中央部の上方に突出した部分６ａに接続する接続部７ａとリード線８の芯線をカシメて取付けている取付け部７ｂ及びこれらを連結する連結部７ｃとで構成し、この連結部７ｃをリード線８の引出方向と反対側の接続部７ａの端面に設けるとともに取付け部７ｂを電池ケース４の封口端面４ａの内側の封口板６に対向するように構成している。
【００１７】
（実施例２）
図３は本発明のもう一つの実施例に係るタブ端子付電池の平面図である。リード線８の取付けがカシメではなく半田付けによるものである。リード線８は、タブ端子７の取付け部７ｂに半田１６によって接続されている。図２と同様に、封口板６の中央部の上方に突出した部分６ａに接続する接続部７ａとリード線８を取付ける取付け部７ｂ及びこれらを連結する連結部７ｃとで構成し、この連結部７ｃをリード線８の引出方向と反対側の接続部７ａの端面に設けるとともに取付け部７ｂを電池ケース４の封口端面４ａの内側に位置するように構成している。半田付けの作業バラツキによっては半田バリが発生することもあり、タブ端子７の切断バリに加えて半田バリの影響もプラスされることがある。半田バリが存在する場合においても、取付け部７ｂと電池ケース４の封口端面４ａが対向する位置にないため短絡を生じる危険性がない。  
【００１８】
図２，図３に示す本発明と、図４に示す従来例のタブ端子を接続した円筒型電池について、タブ端子を下にして１．５ｍの高さからコンクリート上に落下させるテストを実施した。尚、全てのタブ端子には故意に切断バリを発生させ、またリード線を半田付けしたものについても故意に半田バリを発生させたものを用いた。各２０個の落下テストの結果、図４に示す従来のタブ端子を接続した円筒型電池のみが、２０個中１１個の短絡による電圧低下の不具合が発生した。不具合の電池を観察したところ、バリが当接したところの外装チューブが損傷しており、バリが外装絶縁チューブを貫通して短絡したものと思われる。図２及び図３に示す本発明のタブ端子を接続した円筒型電池については電圧低下したものは無かった。  
【産業上の利用可能性】
【００１９】
本発明のタブ端子付電池によると、リード線の引き回しによるタブ端子のたわみ変形や、落下などによって外力が加わってタブ端子が変形したとしても、タブ端子と電池ケースの封口端面が接触して短絡を生じる危険性がない。また、リード線を半田付けする場合において半田バリが発生したとしても、同様に半田バリが電池ケースの封口端面と接触して短絡を生じる危険性がなく、その工業的価値は高い。
【図面の簡単な説明】
【００２０】
【図１】本発明の一実施例に係るタブ端子付電池の断面図
【図２】本発明の一実施例に係るタブ端子付電池の平面図
【図３】本発明の一実施例に係るタブ端子付電池の平面図
【図４】（ａ）従来のタブ端子付電池の平面図、（ｂ）従来のタブ端子付電池の断面図
【符号の説明】
【００２１】
１  正極
２  負極
３  セパレータ
４  電池ケース
４ａ  封口端面
５  ガスケット
６  封口板
６ａ  封口板の中央部の上方に突出した部分
７  タブ端子
７ａ  接続部
７ｂ  取付け部
７ｃ  連結部
８  リード線
９  外装絶縁チューブ
１６  半田
【図１】
2010123363.tif 000003
【図２】
2010123363.tif 000004
【図３】
2010123363.tif 000005
【図４】
2010123363.tif 000006